(57)【要約】【課題】構成機器毎に自由な機器名称を設定することができる。【解決手段】カメラ玄関子機２及び、このカメラ玄関子機からの訪問者画像をモニタ表示するモニタ室内機４を含む構成機器で構成し、構成機器を識別する機器名称を設定し、構成機器毎に設定した機器名称をモニタ表示するテレビドアホンシステム１であって、モニタ室内機は、カメラ玄関子機を通じて機器名称原稿を撮像して機器名称原稿画像を取得する原稿画像取得部２２と、機器名称を設定する構成機器を指定する名称設定機器指定部２４と、原稿画像取得部にて取得した機器名称原稿画像を、名称設定機器指定部にて指定した構成機器の機器名称として設定する機器名称設定部２５と、この機器名称設定部にて設定した構成機器及び機器名称を対応付けて機器名称データとして管理する機器名称管理部１９とを有するようにした。【選択図】図２
2008277891.tif 000002
【特許請求の範囲】
【請求項１】
被写体を撮像して被写体画像を取得するカメラ機器及び、このカメラ機器からの被写体画像をモニタ表示するモニタ表示機器を含む構成機器で構成し、前記構成機器を識別する識別名称を設定する識別名称設定方法であって、
前記識別名称を設定する前記構成機器を指定する構成機器指定ステップと、
前記カメラ機器を通じて前記識別名称に関わる識別名称原稿を撮像して識別名称原稿画像を取得する原稿画像取得ステップと、
この原稿画像取得ステップにて取得した前記識別名称原稿画像を、前記構成機器指定ステップにて指定した構成機器の識別名称として設定する識別名称設定ステップと、
この識別名称設定ステップにて設定した前記構成機器及び前記識別名称を対応付けて機器名称データとして管理する機器名称管理ステップとを有することを特徴とする識別名称設定方法。
【請求項２】
前記識別名称設定ステップは、
前記識別名称原稿画像から識別名称部位をトリミングし、このトリミング後の識別名称部位に拡大又は縮小画像処理を施し、この拡大又は縮小画像処理を施した識別名称部位を、前記構成機器指定ステップにて指定した構成機器の識別名称として設定することを特徴とする請求項１記載の識別名称設定方法。
【請求項３】
前記原稿画像取得ステップは、
前記カメラ機器の焦点距離に合致した位置に前記識別名称原稿を配置する原稿補助具を前記カメラ機器に装着することで、同カメラ機器を通じて前記識別名称原稿を撮像して前記識別名称原稿画像を取得することを特徴とする請求項１又は２記載の識別名称設定方法。
【請求項４】
前記原稿画像取得ステップは、
前記構成機器の内、任意のカメラ機器を指定するカメラ機器指定ステップを有し、このカメラ機器指定ステップにて指定したカメラ機器を通じて前記識別名称原稿を撮像して前記識別名称原稿画像を取得することを特徴とする請求項１，２又は３の何れか一に記載の識別名称設定方法。
【請求項５】
前記識別名称原稿の識別名称部位は、
文字、マーク又は絵に相当することを特徴とする請求項１，２，３又は４の何れか一に記載の識別名称設定方法。
【請求項６】
被写体を撮像して被写体画像を取得するカメラ玄関子機及び、このカメラ玄関子機からの被写体画像をモニタ表示するモニタ室内機を含む構成機器で構成し、前記構成機器を識別する識別名称を設定し、前記構成機器毎に設定した識別名称を前記モニタ室内機にモニタ表示するテレビドアホンシステムであって、
前記モニタ室内機は、
前記識別名称を設定する前記構成機器を指定する構成機器指定手段と、
前記カメラ玄関子機を通じて前記識別名称に関わる識別名称原稿を撮像して識別名称原稿画像を取得する原稿画像取得手段と、
この原稿画像取得手段にて取得した前記識別名称原稿画像を、前記構成機器指定手段にて指定した構成機器の識別名称として設定する識別名称設定手段と、
この識別名称設定手段にて設定した前記構成機器及び前記識別名称を対応付けて機器名称データとして管理する機器名称管理手段とを有することを特徴とするテレビドアホンシステム。
【請求項７】
前記識別名称設定手段は、
前記識別名称原稿画像から識別名称部位をトリミングし、このトリミング後の識別名称部位を拡大又は縮小画像処理を施し、この拡大又は縮小画像処理を施した識別名称部位を前記識別名称として、前記構成機器指定手段にて指定した構成機器に設定することを特徴とする請求項６記載のテレビドアホンシステム。
【請求項８】
前記モニタ室内機は、
複数台の構成機器の内、前記識別名称に関わる前記識別名称原稿を撮像するカメラ機能を備えた構成機器を指定するカメラ指定手段を有し、
前記識別名称設定手段は、
前記カメラ指定手段にて指定した前記構成機器にて取得した前記識別名称原稿画像を、前記構成機器指定手段にて指定した構成機器の識別名称として設定することを特徴とする請求項６又は７記載のテレビドアホンシステム。
【請求項９】
前記モニタ室内機は、
前記識別名称設定手段にて前記構成機器の識別名称を設定すると、この構成機器及び識別名称を対応付けてモニタ表示することを特徴とする請求項６、７又は８の何れか一に記載のテレビドアホンシステム。
【請求項１０】
前記モニタ室内機は、
複数台の構成機器の内、任意の構成機器を通じて被写体画像を取得すると、前記識別名称管理手段に管理中の機器名称データから同構成機器に対応した識別名称を読み出し、この読み出した識別名称を前記被写体画像と同時にモニタ表示することを特徴とする請求項６，７，８又は９の何れか一に記載のテレビドアホンシステム。
【請求項１１】
前記モニタ室内機は、
前記識別名称管理手段に管理中の機器名称データを、複数台の構成機器の内、モニタ表示機能を備えた構成機器に通知する識別名称通知手段を有し、
前記モニタ表示機能を備えた構成機器は、
前記モニタ室内機の前記識別名称通知手段から前記機器名称データを取得すると、この機器名称データを管理する名称管理手段を有することを特徴とする請求項６，７，８，９又は１０の何れか一に記載のテレビドアホンシステム。
【発明の詳細な説明】
【技術分野】
【０００１】
本発明は、例えばカメラ玄関子機及びモニタ室内機を含む構成機器の識別名称を設定し、構成機器毎に設定した識別名称をモニタ室内機にモニタ表示する識別名称設定方法及びテレビドアホンシステムに関する。
【背景技術】
【０００２】
近年、防犯上の観点から、例えば住居の複数箇所に配置したカメラ玄関子機や監視カメラにて取得した被写体画像を、モニタ表示機能を備えたモニタ室内機に画面表示するテレビドアホンシステムが広く普及している。
【０００３】
しかしながら、このような従来のテレビドアホンシステムによれば、複数箇所に配置されたカメラ玄関子機や監視カメラにて取得した被写体画像をモニタ室内機でモニタ表示するようにしたが、同モニタ室内機のユーザは、同被写体画像の内容を見みても、同被写体画像を撮像中のカメラを瞬時に識別することができない。
【０００４】
そこで、このような事態に対処すべく、本出願人は、モニタ室内機側にカメラ玄関子機毎に表示ランプを配置し、カメラ玄関子機からの呼出を検出すると、同カメラ玄関子機の被写体画像をモニタ表示する際に、同カメラ玄関子機に対応した表示ランプを点滅させるようにしたので、モニタ室内機側のユーザは、表示ランプの点滅状況で、モニタ表示中の被写体画像を撮像中のカメラを瞬時に識別することができる（例えば特許文献１参照）。
【０００５】
また、テレビドアホンシステムの技術分野ではないが、監視カメラシステムの技術分野においては、複数箇所に配置された監視カメラからの被写体画像をモニタ表示するモニタ表示器に、同被写体画像の他に、同被写体画像を撮像している監視カメラの識別番号及び撮像時刻をスーパーインポーズ表示するようにしたので、モニタ表示器側のユーザは、スーパーインポーズ表示中の識別番号及び現在時刻に基づき、モニタ表示中の被写体画像を撮像中の監視カメラを瞬時に識別することができる（例えば特許文献２参照）。
【０００６】
また、近年のテレビドアホンシステムにおいては、モニタ室内機に接続可能なカメラ玄関子機やカメラ機器の端末名称、例えば「カメラ玄関子機１」や「カメラ機器１」等の端末名称を工場出荷時に予め登録しておき、モニタ室内機にカメラ玄関子機を接続した場合、同モニタ室内機のユーザが登録済みの端末名称からカメラ玄関子機の端末名称を選択し、この選択した端末名称を同カメラ玄関子機の識別名称として設定するものが知られている。
【０００７】
このようなテレビドアホンシステムによれば、例えばカメラ玄関子機から呼出を検出すると、同カメラ玄関子機の被写体画像をモニタ室内機にモニタ表示し、同被写体画像に、同カメラ玄関子機の識別名称、すなわち端末名称（例えば「カメラ玄関子機１」）を画面表示するようにしたので、モニタ室内機側のユーザは、端末名称を見ることでモニタ表示中の被写体画像を撮像中のカメラ玄関子機を瞬時に識別することができる。
【０００８】
また、テレビドアホンシステムにおいては、モニタ室内機に接続可能なカメラ玄関子機やカメラ機器の配置場所、例えば「表門」や「勝手口」等の配置名称を工場出荷時に予め登録しておき、例えばモニタ室内機にカメラ玄関子機を接続した場合、モニタ室内機のユーザが登録済みの配置名称から同カメラ玄関子機の配置名称を選択し、この選択した配置名称を同カメラ玄関子機の識別名称として設定するものが知られている。
【０００９】
このようなテレビドアホンシステムによれば、例えばカメラ玄関子機の呼出を検出すると、同カメラ玄関子機の被写体画像をモニタ室内機にモニタ表示し、同被写体画像に、同カメラ玄関子機の識別名称、すなわち配置名称（例えば「表門」）を画面表示するようにしたので、モニタ室内機側のユーザは、配置名称を見ることでモニタ表示中の被写体画像を撮像中のカメラ玄関子機を瞬時に識別することができる。
【特許文献１】特開平１０−１６４５７０号公報（要約書及び図１参照）
【特許文献２】特開平８−１６１６６３号公報（要約書及び図１参照）
【発明の開示】
【発明が解決しようとする課題】
【００１０】
しかしながら、上記特許文献１のテレビドアホンシステムによれば、モニタ室内機側にカメラ玄関子機毎にランプを配置し、モニタ室内機でモニタ表示中の被写体画像を撮像しているカメラ玄関子機に対応するランプを点滅表示するようにしたが、カメラ玄関子機毎にランプを設ける必要がある。
【００１１】
また、上記特許文献２の監視システムによれば、モニタ表示器でモニタ表示中の被写体画像に同被写体画像を撮像している監視カメラの識別番号及び撮像時刻をスーパーインポーズ表示するようにしたが、この識別番号の入力は同モニタ表示器にパソコン端末を接続し、このパソコン端末を使用して識別番号を入力する必要がある。
【００１２】
また、近年のテレビドアホンシステムによれば、モニタ室内機側に接続可能なカメラ玄関子機やカメラ機器等の構成機器の端末名称を工場出荷時に予め登録しておき、例えばモニタ室内機にカメラ玄関子機を接続した場合、モニタ室内機側のユーザが予め登録してある端末名称からカメラ玄関子機の端末名称を選択し、この選択した端末名称をカメラ玄関子機の識別名称として設定するようにしたが、構成機器の識別名称が予め登録された端末名称に限定されることから、自由な識別名称を設定することができない。
【００１３】
また、近年のテレビドアホンシステムによれば、モニタ室内機側に接続可能なカメラ玄関子機やカメラ機器等の構成機器の配置名称を工場出荷時に予め登録しておき、例えばモニタ室内機にカメラ玄関子機を接続した場合、モニタ室内機側のユーザが予め登録してある配置名称からカメラ玄関子機の配置名称を選択し、この選択した配置名称をカメラ玄関子機の識別名称として設定するようにしたが、構成機器の識別名称が予め登録された配置名称に限定されることから、自由な識別名称を設定することができない。
【００１４】
本発明は上記点に鑑みてなされたものであり、その目的とするところは、特別な機器を要することなく、自由に構成機器の識別名称を設定することができる識別名称設定方法及びテレビドアホンシステムを提供することにある。
【課題を解決するための手段】
【００１５】
上記目的を達成するために本発明の識別名称設定方法は、被写体を撮像して被写体画像を取得するカメラ機器及び、このカメラ機器からの被写体画像をモニタ表示するモニタ表示機器を含む構成機器で構成し、前記構成機器を識別する識別名称を設定する識別名称設定方法であって、前記識別名称を設定する前記構成機器を指定する構成機器指定ステップと、前記カメラ機器を通じて前記識別名称に関わる識別名称原稿を撮像して識別名称原稿画像を取得する原稿画像取得ステップと、この原稿画像取得ステップにて取得した前記識別名称原稿画像を、前記構成機器指定ステップにて指定した構成機器の識別名称として設定する識別名称設定ステップと、この識別名称設定ステップにて設定した前記構成機器及び前記識別名称を対応付けて機器名称データとして管理する機器名称管理ステップとを有するようにした。
【００１６】
また、上記目的を達成するために本発明のテレビドアホンシステムは、被写体を撮像して被写体画像を取得するカメラ玄関子機及び、このカメラ玄関子機からの被写体画像をモニタ表示するモニタ室内機を含む構成機器で構成し、前記構成機器を識別する識別名称を設定し、前記構成機器毎に設定した識別名称を前記モニタ室内機にモニタ表示するテレビドアホンシステムであって、前記モニタ室内機は、前記識別名称を設定する前記構成機器を指定する構成機器指定手段と、前記カメラ玄関子機を通じて前記識別名称に関わる識別名称原稿を撮像して識別名称原稿画像を取得する原稿画像取得手段と、この原稿画像取得手段にて取得した前記識別名称原稿画像を、前記構成機器指定手段にて指定した構成機器の識別名称として設定する識別名称設定手段と、この識別名称設定手段にて設定した前記構成機器及び前記識別名称を対応付けて機器名称データとして管理する機器名称管理手段とを有するようにした。
【発明の効果】
【００１７】
上記のように構成された本発明の識別名称設定方法によれば、前記識別名称を設定する構成機器を指定し、前記カメラ機器を通じて前記識別名称に関わる所望の識別名称原稿を撮像して識別名称原稿画像を取得し、この識別名称原稿画像を、前記指定した構成機器の識別名称として設定し、この設定した前記構成機器及び前記識別名称を対応付けて機器名称データとして管理するようにしたので、特別な機器を要することなく作成した所望の識別名称原稿を使用して自由に構成機器の識別名称を設定することができる。
【００１８】
また、上記のように構成された本発明のテレビドアホンシステムによれば、前記識別名称を設定する構成機器を指定し、前記カメラ玄関子機を通じて前記識別名称に関わる所望の識別名称原稿を撮像して識別名称原稿画像を取得し、この識別名称原稿画像を、前記指定した構成機器の識別名称として設定し、この設定した前記構成機器及び前記識別名称を対応付けて機器名称データとして管理するようにしたので、特別な機器を要することなく作成した所望の識別名称原稿を使用して自由に構成機器の識別名称を設定することができる。
【発明を実施するための最良の形態】
【００１９】
本願請求項１記載の識別名称設定方法は、被写体を撮像して被写体画像を取得するカメラ機器及び、このカメラ機器からの被写体画像をモニタ表示するモニタ表示機器を含む構成機器で構成し、前記構成機器を識別する識別名称を設定する識別名称設定方法であって、前記識別名称を設定する前記構成機器を指定する構成機器指定ステップと、前記カメラ機器を通じて前記識別名称に関わる識別名称原稿を撮像して識別名称原稿画像を取得する原稿画像取得ステップと、この原稿画像取得ステップにて取得した前記識別名称原稿画像を、前記構成機器指定ステップにて指定した構成機器の識別名称として設定する識別名称設定ステップと、この識別名称設定ステップにて設定した前記構成機器及び前記識別名称を対応付けて機器名称データとして管理する機器名称管理ステップとを有するようにした。
【００２０】
従って、本願請求項１記載の識別名称設定方法によれば、前記識別名称を設定する構成機器を指定し、前記カメラ機器を通じて前記識別名称に関わる所望の識別名称原稿を撮像して識別名称原稿画像を取得し、この識別名称原稿画像を、前記指定した構成機器の識別名称として設定し、この設定した前記構成機器及び前記識別名称を対応付けて機器名称データとして管理するようにしたので、特別な機器を要することなく作成した所望の識別名称原稿を使用して自由に構成機器の識別名称を設定することができる。
【００２１】
また、本願請求項２記載の識別名称設定方法は、本願請求項１記載の方法において、前記識別名称設定ステップは、前記識別名称原稿画像から識別名称部位をトリミングし、このトリミング後の識別名称部位に拡大又は縮小画像処理を施し、この拡大又は縮小画像処理を施した識別名称部位を、前記構成機器指定ステップにて指定した構成機器の識別名称として設定するようにした。
【００２２】
従って、本願請求項２記載の識別名称設定方法によれば、本願請求項１記載の効果に加えて、前記識別名称原稿画像から識別名称部位をトリミングし、このトリミング後の識別名称部位に拡大又は縮小画像処理を施し、この拡大又は縮小画像処理を施した識別名称部位を、前記指定した構成機器の識別名称として設定するようにしたので、識別名称原稿の識別名称部位のサイズが大小したとしても所定サイズに変更することができる。
【００２３】
また、本願請求項３記載の識別名称設定方法は、本願請求項１又は２記載の方法において、前記原稿画像取得ステップは、前記カメラ機器の焦点距離に合致した位置に前記識別名称原稿を配置する原稿補助具を前記カメラ機器に装着することで、同カメラ機器を通じて前記識別名称原稿を撮像して前記識別名称原稿画像を取得するようにした。
【００２４】
従って、本願請求項３記載の識別名称設定方法によれば、本願請求項１又は２記載の効果に加えて、前記カメラ機器の焦点距離に合致した位置に前記識別名称原稿を配置する原稿補助具を前記カメラ機器に装着することで、同カメラ機器を通じて前記識別名称原稿を撮像して前記識別名称原稿画像を取得するようにしたので、原稿補助具を使用することで識別名称原稿の撮像作業を簡単に行うことができる。
【００２５】
また、本願請求項４記載の識別名称設定方法は、本願請求項１，２又は３の何れか一に記載の方法において、前記原稿画像取得ステップは、前記構成機器の内、任意のカメラ機器を指定するカメラ機器指定ステップを有し、このカメラ機器指定ステップにて指定したカメラ機器を通じて前記識別名称原稿を撮像して前記識別名称原稿画像を取得するようにした。
【００２６】
従って、本願請求項４記載の識別名称設定方法によれば、本願請求項１、２又は３の何れか一に記載の効果に加えて、構成機器の内、任意のカメラ機器を指定し、この指定したカメラ機器を通じて前記識別名称原稿を撮像して前記識別名称原稿画像を取得するようにしたので、識別名称原稿を撮像するカメラ機器を自由に指定することができる。
【００２７】
また、本願請求項５記載の識別名称設定方法は、本願請求項１，２、３又は４の何れか一に記載の方法において、前記識別名称原稿の識別名称部位は、文字、マーク又は絵に相当するようにした。
【００２８】
従って、本願請求項５記載の識別名称設定方法によれば、本願請求項１，２，３又は４記載の効果に加えて、前記識別名称の識別名称部位を、文字、マーク又は絵に相当するようにしたので、自由な識別名称を設定することができる。
【００２９】
また、本願請求項６記載のテレビドアホンシステムは、被写体を撮像して被写体画像を取得するカメラ玄関子機及び、このカメラ玄関子機からの被写体画像をモニタ表示するモニタ室内機を含む構成機器で構成し、前記構成機器を識別する識別名称を設定し、前記構成機器毎に設定した識別名称を前記モニタ室内機にモニタ表示するテレビドアホンシステムであって、前記モニタ室内機は、前記識別名称を設定する前記構成機器を指定する構成機器指定手段と、前記カメラ玄関子機を通じて前記識別名称に関わる識別名称原稿を撮像して識別名称原稿画像を取得する原稿画像取得手段と、この原稿画像取得手段にて取得した前記識別名称原稿画像を、前記構成機器指定手段にて指定した構成機器の識別名称として設定する識別名称設定手段と、この識別名称設定手段にて設定した前記構成機器及び前記識別名称を対応付けて機器名称データとして管理する機器名称管理手段とを有するようにした。
【００３０】
従って、本願請求項６記載のテレビドアホンシステムによれば、前記識別名称を設定する構成機器を指定し、前記カメラ玄関子機を通じて前記識別名称に関わる所望の識別名称原稿を撮像して識別名称原稿画像を取得し、この識別名称原稿画像を、前記指定した構成機器の識別名称として設定し、この設定した前記構成機器及び前記識別名称を対応付けて機器名称データとして管理するようにしたので、特別な機器を要することなく作成した所望の識別名称原稿を使用して自由に構成機器の識別名称を設定することができる。
【００３１】
また、本願請求項７記載のテレビドアホンシステムは、本願請求項６記載の構成において、前記識別名称設定手段は、前記識別名称原稿画像から識別名称部位をトリミングし、このトリミング後の識別名称部位を拡大又は縮小画像処理を施し、この拡大又は縮小画像処理を施した識別名称部位を前記識別名称として、前記構成機器指定手段にて指定した構成機器に設定するようにした。
【００３２】
従って、本願請求項７記載のテレビドアホンシステムによれば、本願請求項６記載の効果に加えて、前記識別名称原稿画像から識別名称部位をトリミングし、このトリミング後の識別名称部位に拡大又は縮小画像処理を施し、この拡大又は縮小画像処理を施した識別名称部位を前記識別名称として、指定した構成機器に設定するようにしたので、識別名称原稿の識別名称部位のサイズが大小したとしても所定サイズに変更することができる。
【００３３】
また、本願請求項８記載のテレビドアホンシステムは、本願請求項６又は７記載の構成において、前記モニタ室内機は、複数台の構成機器の内、前記識別名称に関わる前記識別名称原稿を撮像するカメラ機能を備えた構成機器を指定するカメラ指定手段を有し、前記識別名称設定手段は、前記カメラ指定手段にて指定した前記構成機器にて取得した前記識別名称原稿画像を、前記構成機器指定手段にて指定した構成機器の識別名称として設定するようにした。
【００３４】
従って、本願請求項８記載のテレビドアホンシステムによれば、本願請求項６又は７記載の効果に加えて、前記カメラ指定手段にて指定した前記構成機器にて取得した前記識別名称原稿画像を、前記構成機器指定手段にて指定した構成機器の識別名称として設定するようにしたので、識別名称原稿を撮像する構成機器を自由に指定することができる。
【００３５】
また、本願請求項９記載のテレビドアホンシステムは、本願請求項６、７又は８の何れか一に記載の構成において、前記モニタ室内機は、前記識別名称設定手段にて前記構成機器の識別名称を設定すると、この構成機器及び識別名称を対応付けてモニタ表示するようにした。
【００３６】
従って、本願請求項９記載のテレビドアホンシステムによれば、本願請求項６，７又は８の何れか一に記載の効果に加えて、前記識別名称設定手段にて前記構成機器に前記識別名称を設定すると、この構成機器及び識別名称を対応付けてモニタ表示するようにしたので、前記モニタ室内機のユーザは、構成機器に設定した識別名称を認識することができる。
【００３７】
また、本願請求項１０記載のテレビドアホンシステムは、本願請求項６，７、８又は９の何れか一に記載の構成において、前記モニタ室内機は、複数台の構成機器の内、任意の構成機器を通じて被写体画像を取得すると、前記識別名称管理手段に管理中の機器名称データから同構成機器に対応した識別名称を読み出し、この読み出した識別名称を前記被写体画像と同時にモニタ表示するようにした。
【００３８】
従って、本願請求項１０記載のテレビドアホンシステムによれば、本願請求項６，７，８又は９の何れか一に記載の効果に加えて、任意の構成機器を通じて被写体画像を取得すると、前記識別名称管理手段に管理中の機器名称データから同構成機器に対応した識別名称を読み出し、この読み出した識別名称を前記被写体画像と同時にモニタ表示するようにしたので、前記モニタ室内機のユーザは、被写体画像と同時にモニタ表示中の識別名称を見ることで、同被写体画像を撮像中の構成機器を迅速に識別することができる。
【００３９】
また、本願請求項１１記載のテレビドアホンシステムは、本願請求項６，７，８，９又は１０の何れか一に記載の構成において、前記モニタ室内機は、前記識別名称管理手段に管理中の機器名称データを、複数台の構成機器の内、モニタ表示機能を備えた構成機器に通知する識別名称通知手段を有し、前記モニタ表示機能を備えた構成機器は、前記モニタ室内機の前記識別名称通知手段から前記機器名称データを取得すると、この機器名称データを管理する名称管理手段を有するようにした。
【００４０】
従って、本願請求項１１記載のテレビドアホンシステムによれば、本願請求項６，７，８，９又は１０記載の効果に加えて、前記モニタ室内機の前記識別名称管理手段に管理中の機器名称データを、前記構成機器の内、モニタ表示機能を備えた構成機器に通知すると共に、このモニタ表示機能を備えた構成機器は、前記モニタ室内機の前記識別名称通知手段から前記機器名称データを取得すると、この機器名称データを管理する名称管理手段に管理するようにしたので、前記構成機器の内、モニタ表示機能を備えた構成機器への機器名称データの設定作業負担を大幅に軽減することができる。
【００４１】
（実施の形態）
以下、図面に基づいて本発明の実施の形態を示すテレビドアホンシステムについて説明する。図１は本実施の形態を示すテレビドアホンシステム内部の概略構成を示すブロック図である。
【００４２】
図１に示すテレビドアホンシステム１は、例えば住居の各所に配置され、被写体を撮像して被写体画像を取得するカメラ機能を備えた複数のカメラ玄関子機２及び監視カメラ３と、これらカメラ玄関子機２及び監視カメラ３を収容接続するモニタ表示機能を備えたモニタ室内機４と、複数の無線子機５とを有し、モニタ室内機４は、カメラ玄関子機２及び監視カメラ３を通じて取得した被写体画像をモニタ表示するものである。尚、カメラ玄関子機２、監視カメラ３、モニタ室内機４及び無線子機５夫々は、テレビドアホンシステム１の構成機器である。
【００４３】
また、カメラ機能を備えた構成機器として、例えばカメラ玄関子機２Ａは「裏門」、カメラ玄関子機２Ｂは「表門」、監視カメラ３Ａは「庭先」、監視カメラ３Ｂは「倉庫」に配置されているものとする。
【００４４】
図２は本実施の形態に関わるモニタ室内機４内部の概略構成を示すブロック図である。
【００４５】
図２に示すモニタ室内機４は、カメラ玄関子機２及び監視カメラ３等の構成機器との通信インタフェースを司る外部機器インタフェース１１と、無線子機５との無線通信インタフェースを司る無線インタフェース１２と、様々な情報をモニタ表示するモニタ表示部１３と、例えばカメラ玄関子機２又は無線子機５との通話に使用するハンドセット１４Ａと、様々な指令を入力する操作部１４Ｂと、モニタ表示部１３にモニタ表示する画像を一時格納するモニタ画像メモリ１５と、ハンドセット１４Ａの通話音声等に関わる音声処理を施す音声処理部１６と、外部機器インタフェース１１及び無線インタフェース１２を通じてモニタ室内機４全体の通信制御を司る通信制御部１７と、モニタ表示部１３の表示制御を司る表示制御部１８と、構成機器毎に、構成機器を識別する機器名称を管理する機器名称管理部１９と、このモニタ室内機４全体を制御する制御部２０とを有している。
【００４６】
また、制御部２０は、複数台の構成機器の内、機器名称を示す機器名称原稿を撮像するカメラ機能を備えた構成機器、例えばカメラ玄関子機２を指定するカメラ指定部２１と、このカメラ指定部２１にて指定した構成機器を通じて機器名称原稿を撮像して機器名称原稿画像を取得する原稿画像取得部２２と、この原稿画像取得部２２にて取得した機器名称原稿画像に原稿画像処理を施して機器名称部位を取得する原稿画像処理部２３と、複数台の構成機器の内、機器名称を設定付与する構成機器を指定する名称設定機器指定部２４と、原稿画像処理部２３にて原稿画像処理を施した機器名称原稿画像の機器名称部位を、名称設定機器指定部２４にて指定した構成機器の機器名称として設定付与する機器名称設定部２５とを有し、この機器名称設定部２５にて設定付与した構成機器及び機器名称を対応付けて機器名称データとして機器名称管理部１９に管理するものである。
【００４７】
カメラ指定部２１は、モニタ表示部１３に表示中のカメラ一覧表示（図９（ｂ）参照）から操作部１４Ｂを通じて、機器名称原稿を撮像するカメラ機能を備えた構成機器、例えばカメラ玄関子機２や監視カメラ３を指定するものである。
【００４８】
原稿画像取得部２２は、カメラ指定部２１を通じて構成機器、例えばカメラ玄関子機２Ａを指定すると、このカメラ玄関子機２Ａにて撮像した機器名称原稿の機器名称原稿画像を、外部機器インタフェース１１を通じてモニタ画像メモリ１５に一時格納し、このモニタ画像メモリ１５に格納中の機器名称原稿画像を取得するものである。
【００４９】
原稿画像処理部２３は、原稿画像取得部２２にて取得した機器名称原稿画像から機器名称部位を取得すべく、この機器名称原稿画像に対して左右文字位置境界確認、上下文字位置境界確認、有効画面サイズの算出処理、原稿背景検知、塗りつぶし処理、トリミング処理、縮小画像処理等の各種画像処理を施し、同機器名称原稿画像から機器名称部位を取得するものである。
【００５０】
名称設定機器指定部２４は、複数台の構成機器の内、機器名称を設定付与する構成機器を指定するものである。
【００５１】
機器名称設定部２５は、原稿画像処理部２３にて原稿画像処理を施した機器名称原稿画像の機器名称部位を、名称設定機器指定部２４にて指定した構成機器の機器名称として設定し、これら構成機器及び機器名称を機器名称データとして機器名称管理部１９に管理するものである。
【００５２】
また、制御部２０は、通信制御部１７を通じて、例えば「裏門」に配置されたカメラ玄関子機２Ａからの呼出操作を検出すると、このカメラ玄関子機２Ａで撮像した被写体画像、すなわち訪問者画像を、外部機器インタフェース１１を通じてモニタ画像メモリ１５に格納し、同カメラ玄関子機２Ａに対応する機器名称、すなわち「裏門」の機器名称部位を機器名称管理部１９から読み出し、図３に示すように、モニタ画像メモリ１５に格納中の訪問者画像３０の所定ＸＹ座標の所定領域３１に、同機器名称（「裏門」の機器名称部位）を埋め込んだ状態で、訪問者画像と同時に機器名称をモニタ表示部１３にモニタ表示するものである。
【００５３】
また、制御部２０は、例えば「倉庫」に配置された監視カメラ３Ｂへの指定操作を検出すると、この監視カメラ３Ｂで撮像した被写体画像、すなわち倉庫内画像を、外部機器インタフェース１１を通じてモニタ画像メモリ１５に格納し、同監視カメラ３Ｂに対応する機器名称、すなわち「倉庫」の機器名称部位を機器名称管理部１９から読み出し、モニタ画像メモリ１５に格納中の倉庫内画像の所定ＸＹ座標の所定領域に、同機器名称（「倉庫」の機器名称部位）を埋め込んだ状態で、倉庫内画像と同時に機器名称をモニタ表示部１３にモニタ表示するものである。
【００５４】
図４は本実施の形態に関わるカメラ玄関子機２内部の概略構成を示すブロック図である。
【００５５】
図４に示すカメラ玄関子機２は、モニタ室内機４との通信インタフェースを司る機器インタフェース４１と、例えば訪問者や機器名称原稿等の被写体を撮像して訪問者画像や機器名称原稿画像等の被写体画像を取得するカメラ部４２と、カメラ部４２にて取得した被写体画像に所定画像処理を施す画像処理部４３と、通話相手先からの通話音声を音声出力するスピーカ４４と、通話相手先への通話音声を収音するマイク４５と、これらスピーカ４４及びマイク４５の通話音声に所定音声処理を施す子機音声処理部４６と、例えばモニタ室内機４の呼出動作を実行する呼出ボタン４７と、このカメラ玄関子機２全体を制御する子機制御部４８とを有している。
【００５６】
子機制御部は、例えば呼出ボタン４７のボタン操作に応じてカメラ部４２の撮像動作を開始し、このカメラ部４２にて撮像した被写体画像を、機器インタフェース４１を通じてモニタ室内機４に伝送するものである。
【００５７】
図５は機器名称原稿を示す説明図である。
【００５８】
図５に示す機器名称原稿５１は、例えば所定角の原稿カード５１Ａに、ユーザが自由な機器名称を記載することで構成するものである。尚、ここでは、カメラ玄関子機２Ａが「裏口」に配置されていることから、ユーザ自身が一番識別し易い「裏口」を同カメラ玄関子機２Ａの機器名称とすべく、「裏口」を原稿カード５１Ａに活字印刷等で記載したものである。
【００５９】
図６は機器名称原稿５１をカメラ玄関子機２のカメラ部４２に撮像させるために同カメラ玄関子機２に原稿補助具を装着した状態を端的に示す説明図である。
【００６０】
図６に示す原稿補助具６１は、カメラ玄関子機２の正面部４９に装着可能とし、同カメラ玄関子機２のカメラ部４２内のレンズ４２Ａの焦点距離に合致した位置に機器名称原稿の原稿カード５１Ａを配置する原稿カード配置部６１Ａと、同カメラ玄関子機２の呼出ボタン４７のボタン操作が可能となるようにボタン孔６１Ｂとを備えたものである。
【００６１】
尚、所望の機器名称を記載した原稿カード５１Ａを原稿カード配置部６１Ａ内に配置した原稿補助具６１をカメラ玄関子機２の正面部４９に装着した後、同カメラ玄関子機２Ａは、呼出ボタン４７のボタン操作を検出すると、カメラ部４２を通じて同原稿カード配置部６１Ａ内に配置した原稿カード５１Ａを撮像して機器名称原稿画像を取得するものである。
【００６２】
また、図２に示すモニタ室内機４の制御部２０は、機器名称管理部１９に管理中の機器名称データを、複数台の構成機器の内、モニタ表示機能を備えた構成機器、例えば他のモニタ室内機４や無線子機５に通知する機器名称データ通知部２６を備え、モニタ表示機能を備えた構成機器、例えば無線子機５は、機器名称データ通知部２６から機器名称データを取得すると、この機器名称データを管理する管理部（図示せぬ）を備えているものとする。
【００６３】
その結果、無線子機５では、モニタ室内機４の機器名称設定機能は備えていないものの、モニタ室内機４の機器名称データ通知部２６から機器名称データを取得して管理部に格納しておくことで、例えばモニタ室内機４経由でカメラ玄関子機２からの被写体画像、すなわち訪問者画像を受信したとしても、このカメラ玄関子機２に対応する機器名称データの機器名称を管理部から読み出し、この読み出した機器名称を訪問者画像の所定ＸＹ座標の所定領域に埋め込んだ状態で、訪問者画像と同時に機器名称をモニタ表示するものである。
【００６４】
尚、請求項記載のテレビドアホンシステムはテレビドアホンシステム１、カメラ機器はカメラ玄関子機２及び監視カメラ３、カメラ玄関子機はカメラ玄関子機２、モニタ表示器機はモニタ室内機４、モニタ室内機はモニタ室内機４、構成機器はカメラ玄関子機２、監視カメラ３、モニタ室内機４及び無線子機５等の構成機器、識別名称は機器名称、原稿画像取得手段は原稿画像取得部２２、構成機器指定手段は名称設定機器指定部２４、識別名称設定手段は機器名称設定部２５、機器名称管理手段は機器名称管理部１９、カメラ指定手段はカメラ指定部２１、識別名称通知手段は機器名称データ通知部２６、名称管理手段は図示せぬ管理部に相当するものである。
【００６５】
次に本実施の形態を示すテレビドアホンシステム１の動作について説明する。図７は本実施の形態に関わる機器名称設定処理に関わるモニタ室内機４側の制御部２０の処理動作を示すフロー図である。
【００６６】
図７に示す機器名称設定処理は、テレビドアホンシステム１内の構成機器の機器名称を自由に設定する処理である。
【００６７】
まず、この機器名称設定処理を開始する前に、モニタ室内機４のユーザは、構成機器に設定付与する機器名称を原稿カード５１Ａに記載し、この原稿カード５１Ａを原稿補助具６１の原稿カード配置部６１Ａに配置した後、複数台の構成機器の内、カメラ機能を備えた構成機器、例えばカメラ玄関子機２Ａの正面部４９に、図６に示すように、同原稿補助具６１を装着する。
【００６８】
そして、モニタ室内機４の制御部２０は、操作部１４Ｂの所定操作に応じてモニタ表示部に、図９（ａ）に示す設定画面７１を表示する（ステップＳ１１）。尚、設定画面７１は、逆光設定、明るさ設定や機器名称設定等の各種設定を一覧表示したものである。
【００６９】
制御部２０は、操作部１４Ｂの選択操作に応じて設定画面７１上から機器名称設定を選択したか否かを判定する（ステップＳ１２）。制御部２０は、設定画面７１上から機器名称設定を選択したと判定されると、図９（ｂ）に示すカメラ一覧画面７２をモニタ表示部１３にモニタ表示する（ステップＳ１３）。尚、カメラ一覧画面７２には、テレビドアホンシステム１内のカメラ機能を備えた構成機器を一覧表示したものである。
【００７０】
制御部２０は、操作部１４Ｂの選択操作に応じてカメラ一覧画面７２上から、機器名称原稿を撮像する構成機器を選択したか否かを判定する（ステップＳ１４）。制御部２０は、カメラ一覧画面７２上から構成機器を選択したと判定されると、この選択した構成機器、すなわちカメラ玄関子機２を、機器名称原稿を撮像するカメラとして決定する（ステップＳ１５）。
【００７１】
さらに、制御部２０は、機器名称原稿を撮像するカメラを決定すると、図９（ｃ）に示す名称設定対象機器一覧画面７３をモニタ表示部１３にモニタ表示する（ステップＳ１６）。尚、名称設定対象機器一覧画面７３には、テレビドアホンシステム１内の名称設定対象の構成機器を一覧表示したものである。
【００７２】
制御部２０は、操作部１４Ｂの選択操作に応じて名称設定対象機器一覧画面７３上から、名称設定対象の構成機器を選択したか否かを判定する（ステップＳ１７）。制御部２０は、名称設定対象機器一覧画面７３上から構成機器を選択したと判定されると、この選択した構成機器を、名称設定対象の構成機器として決定する（ステップＳ１８）。
【００７３】
制御部２０は、例えば名称設定対象の構成機器としてカメラ玄関子機２Ａを決定すると、ステップＳ１５にて決定した、例えばカメラ玄関子機２Ａによる機器名称原稿の撮像動作を開始する撮像開始操作を検出したか否かを判定する（ステップＳ１９）。尚、撮像開始操作は、例えばモニタ室内機４側の操作部１４Ｂによる撮像指示操作、又は、同カメラ玄関子機２Ａの呼出ボタン４７のボタン操作に相当するものである。
【００７４】
制御部２０は、ステップＳ１５にて決定したカメラ玄関子機２Ａの撮像動作を開始する撮像開始操作を検出すると、図８に示すＭ１に移行する。尚、カメラ玄関子機２Ａは、原稿補助具６１に装着した原稿カード５１Ａ、すなわち機器名称原稿の撮像動作を開始し、この機器名称原稿画像をモニタ室内機４に伝送するものである。
【００７５】
尚、制御部２０は、ステップＳ１２にて設定画面７１上で機器名称設定を選択したのでなければ、ステップＳ１１に移行する。また、制御部２０は、ステップＳ１４にてカメラ一覧画面７２上で構成機器を選択したのでなければ、ステップＳ１３に移行する。また、制御部２０は、ステップＳ１７にて名称設定対象機器一覧画面７３上で名称設定対象の構成機器を選択したのでなければ、ステップＳ１６に移行するものである。
【００７６】
図８に示すＭ１において制御部２０の原稿画像取得部２２は、カメラ玄関子機２Ａからの機器名称原稿画像を取得すると（ステップＳ２１）、この機器名称原稿画像を確認する図９（ｄ）に示す原稿画像確認画面７４をモニタ表示部１３にモニタ表示する（ステップＳ２２）。
【００７７】
制御部２０は、操作部１４Ｂの選択操作に応じて原稿画像確認画面７４上の確認ＮＧを選択したか否かを判定する（ステップＳ２３）。制御部２０は、操作部１４Ｂの選択操作に応じて原稿画像確認画面７４上の確認ＮＧを選択したのでなければ、原稿画像確認画面７４上の確認ＯＫを選択したか否かを判定する（ステップＳ２４）。
【００７８】
制御部２０の原稿画像処理部２３は、原稿画像確認画面７４上の確認ＯＫを選択したのであれば、ステップＳ２１にて取得した機器名称原稿画像から機器名称部位を取得すべく、この機器名称原稿画像に対する原稿画像処理（図１０参照）を施す（ステップＳ２５）。
【００７９】
制御部２０の機器名称設定部２５は、ステップＳ２５にて原稿画像処理を施すことで機器名称原稿画像から機器名称部位を取得し、この機器名称部位を、ステップＳ１８にて決定した構成機器の機器名称として設定し、この構成機器及び機器名称を対応付けて機器名称データとして機器名称管理部１９に管理し（ステップＳ２６）、この機器名称管理部１９に管理中の構成機器及び機器名称の機器名称データを一覧した図９（ｅ）に示す機器名称一覧画面７５をモニタ表示部１３に表示し（ステップＳ２７）、この処理動作を終了する。尚、機器名称一覧画面７５は、テレビドアホンシステム１の全構成機器及び機器名称を一覧表示するものである。
【００８０】
また、制御部２０は、ステップＳ２４にて原稿画像確認画面７４上の確認ＯＫを選択したのでなければ、確認ＮＧを選択したか否かを判定すべく、ステップＳ２３に移行し、ステップＳ２３にて原稿画像確認画面７４上の確認ＮＧを選択したのであれば、再度、機器名称原稿の撮像動作を開始すべく、撮像開始操作を検出したか否かを判定すべく、図７に示すＭ２に移行する。
【００８１】
図７及び図８に示す機器名称設定処理によれば、複数台の構成機器の内、機器名称を設定する構成機器、すなわち名称設定対象の構成機器を指定し、さらに機器名称原稿を撮像するカメラ機能を備えた構成機器を指定し、この指定したカメラ機能を備えた構成機器で機器名称原稿を撮像して機器名称原稿画像を取得し、この機器名称原稿画像を、名称設定対象の構成機器の機器名称として設定すると共に、この設定した機器名称及び構成機器に対応付けて機器名称管理部１９に管理するようにしたので、モニタ室内機４側のユーザは、構成機器毎に自由な機器名称を設定することができる。
【００８２】
次に図８に示すステップＳ２５の原稿画像処理に関わる処理動作について説明する。図１０は原稿画像処理に関わるモニタ室内機４の制御部２０内部の原稿画像処理部２３の処理動作を示すフロー図、図１１は原稿画像処理の各種処理動作を端的に示す説明図である。
【００８３】
図１０に示す原稿画像処理は、図８に示すステップＳ２１にて取得した機器名称原稿画像に対して原稿画像処理を施すことで、同機器名称原稿画像から図３に示す所定領域３１に埋め込む機器名称部位を取得するための処理である。
【００８４】
図１０においてモニタ室内機４側の制御部２０内部の原稿画像処理部２３は、ステップＳ２１にて取得した、図１１（ａ）に示す機器名称原稿画像８１から左右文字位置境界Ａ（図１１（ｂ）参照）を確認し（ステップＳ３１）、この確認した機器名称原稿画像８１から上下文字位置境界Ｂ（図１１（ｂ）参照）を確認する（ステップＳ３２）。
【００８５】
原稿画像処理部２３は、左右文字位置境界確認及び上下文字位置境界確認を実行した後、これら左右文字位置境界確認及び上下文字位置境界確認に基づき有効画面サイズを算出する（ステップＳ３３）。
【００８６】
原稿画像処理部２３は、この有効画面サイズに基づき、原稿カード５１Ａ上の原稿背景及び原稿部位（機器名称部位）を識別するための原稿背景を検知して（ステップＳ３４）、塗りつぶし処理を施し（ステップＳ３５）、図１１（ｃ）に示すように、機器名称原稿画像８１から機器名称部位８２を取得するトリミング処理を実行する（ステップＳ３６）。尚、ステップＳ３４にて原稿背景を検知する場合、原稿背景の白及び機器名称部位の黒のレベル差で検知するものである。
【００８７】
原稿画像処理部２３は、機器名称原稿画像８１から機器名称部位８２を取得するトリミング処理を実行した後、図１１（ｄ）に示すように機器名称部位８２の上下画素数α及び左右画素数βを算出し（ステップＳ３７）、これら算出した上下画素数α及び左右画素数βに基づき、図１１（ｅ）に示すように、上下有効画素数α’及び左右有効画素数β’を算出する（ステップＳ３８）。
【００８８】
原稿画像処理部２３は、上下有効画素数α’／上下画素数αに基づき上下画素数縮小率を算出すると共に、左右画素数β’／左右画素数βに基づき左右画素数縮小率を算出し、上下画素数縮小率及び左右画素数縮小率を比較し、小さい方の縮小率を決定する（ステップＳ３９）。
【００８９】
原稿画像処理部２３は、縮小率を決定すると、この縮小率に基づき、図１１（ｆ）に示すように機器名称部位８２の縮小画像処理を実行し（ステップＳ４０）、同原稿画像処理を終了して、この縮小画像処理を施した機器名称部位８２Ａを機器名称として設定すべく、図８に示すステップＳ２６に移行する。
【００９０】
図１０に示す原稿画像処理によれば、図１１に示すように機器名称原稿画像８１に対して各種原稿画像処理を施すことで機器名称原稿画像８１から機器名称部位８２Ａを取得するようにしたので、図３に示す被写体画像３０の所定領域３１に埋め込むのに最適な機器名称部位８２Ａを機器名称原稿画像８１から取得することができる。
【００９１】
では、次に図７及び図８に示す機器名称設定処理にてモニタ室内機４側で構成機器毎の機器名称を設定し、構成機器及び機器名称を対応付けて機器名称管理部１９に管理した。例えばカメラ玄関子機２Ａの機器名称として「裏門」の機器名称部位を機器名称管理部１９に管理した後、カメラ玄関子機２Ａから呼出ボタン４７のボタン操作を検出した場合に関わるモニタ室内機４側のモニタ表示部１３のモニタ表示動作について説明する。
【００９２】
カメラ玄関子機２Ａは、呼出ボタン４７のボタン操作を検出すると、カメラ部４２の被写体画像の撮像動作を開始すると共に、この被写体画像、すなわち訪問者画像を画像処理部４３及び子機制御部４８経由で、機器インタフェース４１を通じてモニタ室内機４に伝送する。
【００９３】
モニタ室内機４側の制御部２０は、外部機器インタフェース１１を通じてカメラ玄関子機２Ａの呼出ボタン４７のボタン操作を検出すると、カメラ玄関子機２Ａにて撮像した訪問者画像をモニタ画像メモリ１５に格納すると共に、このカメラ玄関子機２Ａに対応した機器名称「裏門」を機器名称管理部１９から読み出し、図３に示すように、訪問者画像の所定ＸＹ座標の所定領域３１に機器名称「裏門」を埋め込んだ状態で、訪問者画像と機器名称とを同時にモニタ表示部１３にモニタ表示することになる。
【００９４】
その結果、モニタ室内機４側のユーザは、モニタ表示部１３にモニタ表示中の訪問者画像の他に機器名称を見ることで、モニタ表示中の訪問者画像を撮像している構成機器を認識することができる。
【００９５】
また、モニタ室内機４側の制御部２０では、同カメラ玄関子機２Ａの訪問者画像及び機器名称をモニタ表示中に、ハンドセット１４Ａを使用してカメラ玄関子機２Ａとの通話を開始すると、現在の通信状態、例えば「通話中」の文字を訪問者画像３０上にスーパーインポーズ表示することになる。
【００９６】
また、モニタ室内機４側の制御部２０は、例えば機器名称設定部２５を通じて機器名称部位を構成機器の機器名称として設定し、この構成機器及び機器名称を機器名称データとして機器名称管理部１９に管理すると、機器名称データ通知部２６を通じて機器名称管理部１９に管理中の機器名称データを、無線インタフェース１２経由でモニタ機能を備えた無線子機５に配信する。
【００９７】
各無線子機５は、モニタ室内機４から機器名称データを受信すると、この機器名称データを図示せぬ管理部に管理する。
【００９８】
その結果、無線子機５は、例えばカメラ玄関子機２の呼出操作に応じて同カメラ玄関子機２にて取得した訪問者画像を、モニタ室内機４経由で受信すると、このカメラ玄関子機２に対応した機器名称を管理部から読み出し、この読み出した機器名称を訪問者画像の所定領域に埋め込んだ状態で、訪問者画像及び機器名称をモニタ表示するようにしたので、無線子機５側のユーザは、訪問者画像と同時にモニタ表示中の機器名称を見ることで、同訪問者画像を撮像中の構成機器を迅速に識別することができる。
【００９９】
本実施の形態によれば、機器名称を設定する構成機器、すなわち名称設定対象の構成機器を指定し、例えばカメラ玄関子機２を通じて機器名称に関わる機器名称原稿を撮像して機器名称原稿画像を取得し、この機器名称原稿画像の機器名称部位を名称設定対象の構成機器の機器名称として機器名称管理部１９に設定管理するようにしたので、特別な機器を要することなく、自由に機器名称を記載して機器名称原稿を作成し、この機器名称原稿を使用して自由に構成機器の機器名称を設定することができる。
【０１００】
また、本実施の形態によれば、カメラ玄関子機２のカメラ部４２の焦点距離に合致した位置に機器名称原稿を配置可能にする原稿補助具６１を同カメラ玄関子機２の正面部４９に装着することで、同カメラ玄関子機２のカメラ部４２を通じて機器名称原稿を撮像して機器名称原稿画像を取得するようにしたので、原稿補助具６１を使用することで機器名称原稿の撮像作業を簡単に行うことができる。
【０１０１】
また、本実施の形態によれば、図１１に示すように機器名称原稿画像８１から機器名称部位８２をトリミングし、このトリミング後の機器名称部位８２に縮小画像処理を施し、この縮小画像処理を施した機器名称部位８２Ａを構成機器の機器名称として設定するようにしたので、図３に示す被写体画像３０の所定領域３１に埋め込むのに最適な機器名称部位８２Ａを機器名称原稿画像８１から取得することができる。
【０１０２】
また、本実施の形態によれば、カメラ指定部２１を通じて任意のカメラ機能を備えた構成機器を指定し、この指定した構成機器を通じて機器名称原稿を撮像して機器名称原稿画像を取得するようにしたので、図９（ｂ）のカメラ一覧画面７２上で機器名称原稿を撮像する構成機器、例えばカメラ玄関子機２や監視カメラ３を自由に指定することができる。
【０１０３】
また、本実施の形態によれば、機器名称設定部２５にて構成機器に機器名称を設定すると、この構成機器及び機器名称を対応付けて図９（ｅ）に示すように機器名称一覧画面７５をモニタ表示するようにしたので、モニタ室内機４のユーザは、この機器名称一覧画面７５を目視することで構成機器に設定した機器名称を認識することができる。
【０１０４】
また、本実施の形態によれば、任意の構成機器を通じて被写体画像を取得すると、機器名称管理部１９に管理中の機器名称データから同構成機器に対応した機器名称を読み出し、この読み出した機器名称を被写体画像の所定領域３１に埋め込んだ状態で、同被写体画像及び機器名称を同時にモニタ表示するようにしたので、モニタ室内機４のユーザは、被写体画像と同時にモニタ表示中の機器名称を見ることで、同被写体画像を撮像中の構成機器を識別することができる。
【０１０５】
また、本実施の形態によれば、モニタ室内機４の機器名称データ通知部２６を通じて機器名称管理部１９に管理中の機器名称データを、構成機器の内、モニタ表示機能を備えた構成機器、例えば無線子機５や他のモニタ室内機に通知すると共に、無線子機５や他のモニタ室内機では、機器名称データ通知部２６から機器名称データを取得すると、この機器名称データを図示せぬ管理部に管理するようにしたので、構成機器の内、モニタ表示機能を備えた構成機器、例えば無線子機５や他のモニタ室内機への機器名称データの設定作業負担を大幅に軽減することができる。
【０１０６】
また、本実施の形態によれば、無線子機５や他のモニタ室内機の図示せぬ管理部に機器名称データを管理しているため、例えばカメラ玄関子機２の呼出操作に応じて同カメラ玄関子機２にて取得した訪問者画像を、モニタ室内機４経由で無線子機５や他のモニタ室内機が受信すると、このカメラ玄関子機２に対応した機器名称を管理部から読み出し、この読み出した機器名称を訪問者画像の所定領域に埋め込んだ状態で、訪問者画像及び機器名称をモニタ表示するようにしたので、無線子機５や他のモニタ室内機側のユーザは、訪問者画像と同時にモニタ表示中の機器名称を見ることで、同訪問者画像を撮像中の構成機器を迅速に識別することができる。
【０１０７】
尚、上記実施の形態においては、機器名称原稿を撮像するカメラ機能を備えた構成機器としてカメラ玄関子機２を例に挙げて説明したが、カメラ機能を備えた構成機器であれば良く、例えば監視カメラ３を通じて機器名称原稿を撮像したとしても同様の効果が得られることは言うまでもない。
【０１０８】
また、上記実施の形態においては、図７に示す機器名称設定処理のステップＳ１４にてカメラ一覧画面７２上で構成機器を選択しなかった場合、ステップＳ１３に移行するようにしたが、カメラ一覧画面７２の表示開始から所定時間経過後、若しくは所定操作に応じて機器名称設定処理の処理動作を終了するようにしても良い。
【０１０９】
同様に、図７に示す機器名称設定処理のステップＳ１７にて名称設定対象の構成機器の名称設定対象機器一覧画面７３上で構成機器を選択しなかった場合、ステップＳ１８に移行するようにしたが、名称設定対象機器一覧画面７３の表示開始から所定時間経過後、若しくは所定操作に応じて機器名称設定処理の処理動作を終了するようにしても良い。
【０１１０】
また、図８に示す機器名称設定処理のステップＳ２３にて原稿画像確認画面７４の確認ＮＧを選択しなかった場合、図７に示すＭ２に移行するようにしたが、原稿画像確認画面７４の表示開始から所定時間経過後、若しくは所定操作に応じて機器名称設定処理の処理動作を終了するようにしても良い。
【０１１１】
また、上記実施の形態においては、カメラ玄関子機２、監視カメラ３、モニタ室内機４及び無線子機５等の構成機器で構成するテレビドアホンシステム１を例に挙げて説明したが、被写体画像を撮像して被写体画像を取得するカメラ機器及び、このカメラ機器からの被写体画像をモニタ表示するモニタ表示器等の構成機器で構成するシステムについても適用可能であることは言うまでもない。
【０１１２】
また、上記実施の形態においては、例えば「裏口」等の文字の機器名称原稿を撮像して取得した機器名称原稿画像を構成機器の機器名称として設定するようにしたが、機器名称原稿を文字でなく、マーク、絵や写真等にしたとしても同様の効果が得られることは言うまでもない。
【産業上の利用可能性】
【０１１３】
本発明の識別名称設定方法によれば、識別名称を設定する構成機器を指定し、カメラ機器を通じて前記識別名称に関わる所望の識別名称原稿を撮像して識別名称原稿画像を取得し、この識別名称原稿画像を、前記指定した構成機器の識別名称として設定し、この設定した前記構成機器及び前記識別名称を対応付けて機器名称データとして管理するようにしたので、特別な機器を要することなく作成した所望の識別名称原稿を使用して自由に構成機器の識別名称を設定することができることから、例えばカメラ玄関子機、監視カメラやモニタ室内機等の複数台の構成機器で構成するテレビドアホンシステムに有用である。
【図面の簡単な説明】
【０１１４】
【図１】本発明の実施の形態を示すテレビドアホンシステム内部の概略構成を示すブロック図
【図２】本実施の形態に関わるモニタ室内機内部の概略構成を示すブロック図
【図３】本実施の形態に関わるモニタ室内機のモニタ表示内容を端的に示す説明図
【図４】本実施の形態に関わるカメラ玄関子機内部の概略構成を示すブロック図
【図５】本実施の形態に関わるカメラ玄関子機で撮像する機器名称原稿を端的に示す説明図
【図６】本実施の形態に関わる機器名称原稿を撮像する際にカメラ玄関子機に原稿補助具を装着した状態を端的に示す説明図
【図７】本実施の形態の機器名称設定処理に関わるモニタ室内機内部の制御部の処理動作を示すフロー図
【図８】本実施の形態の機器名称設定処理に関わるモニタ室内機内部の制御部の処理動作を示すフロー図
【図９】本実施の形態の機器名称設定処理に関わるモニタ室内機のモニタ表示内容を端的に示す説明図
【図１０】本実施の形態の原稿画像処理に関わるモニタ室内機内部の原稿画像処理部の処理動作を示すフロー図
【図１１】本実施の形態の原稿画像処理に関わるモニタ室内機のモニタ表示内容を端的に示す説明図
【符号の説明】
【０１１５】
１  テレビドアホンシステム
２  カメラ玄関子機（構成機器、カメラ機器）
３  監視カメラ（構成機器、カメラ機器）
４  モニタ室内機（構成機器、モニタ表示機器）
５  無線子機（構成機器）
１９  機器名称管理部（機器名称管理手段）
２１  カメラ指定部（カメラ指定手段）
２２  原稿画像取得部（原稿画像取得手段）
２４  名称設定機器指定部（構成機器指定手段）
２５  機器名称設定部（識別名称設定手段）
２６  機器名称データ通知部（識別名称通知手段）
【図１】
2008277891.tif 000003
【図２】
2008277891.tif 000004
【図３】
2008277891.tif 000005
【図４】
2008277891.tif 000006
【図５】
2008277891.tif 000007
【図６】
2008277891.tif 000008
【図７】
2008277891.tif 000009
【図８】
2008277891.tif 000010
【図９】
2008277891.tif 000011
【図１０】
2008277891.tif 000012
【図１１】
2008277891.tif 000013